(57)【要約】【課題】  弾頭の中心軸を薬莢の中心軸に高い精度で一致させることのできる弾頭矯正装置を提供する。【解決手段】  弾頭矯正装置を、薬莢を保持するための薬莢保持具200と、薬莢及び薬莢保持具200を薬莢の中心軸回りに回転させるための薬莢回転手段と、薬莢に連動して回転している弾頭に外接させて該弾頭の軸ぶれを矯正するための弾頭矯正ローラ400と、弾頭矯正ローラ400を薬莢の中心軸に略垂直な方向にスライドさせるための弾頭矯正用スライド手段500とが備えられたものとした。弾頭矯正装置に、薬莢のネック部に外接させて該ネック部の締付け具合を矯正するための薬莢矯正ローラ600と、薬莢矯正ローラ600を前記薬莢の中心軸に略垂直な方向にスライドさせるための薬莢矯正用スライド手段700とを備えておくとより好適である。【選択図】  図１
2006078071.tif 000002
【特許請求の範囲】
【請求項１】
薬莢に込められた弾頭の軸ぶれを矯正するのに用いられる弾頭矯正装置において、前記薬莢を保持するための薬莢保持具と、前記薬莢及び前記薬莢保持具を前記薬莢の中心軸回りに回転させるための薬莢回転手段と、前記薬莢に連動して回転している前記弾頭に外接させて該弾頭の軸ぶれを矯正するための弾頭矯正ローラと、該弾頭矯正ローラを前記薬莢の中心軸に略垂直な方向にスライドさせるための弾頭矯正用スライド手段とが備えられてなる弾頭矯正装置。
【請求項２】
前記薬莢保持具が、内周面をテーパ状に形成された筒状の薬莢把持部材を備えてなる請求項１記載の弾頭矯正装置。
【請求項３】
前記薬莢保持具が、前記薬莢を前記薬莢把持部材の内部に押し込むための薬莢押し込み部材を備えてなる請求項２記載の弾頭矯正装置。
【請求項４】
前記薬莢回転手段が、モータを利用したものである請求項１記載の弾頭矯正装置。
【請求項５】
前記弾頭矯正ローラに、該弾頭矯正ローラの回転状態を判別するためのマーキングが施されてなる請求項１記載の弾頭矯正装置。
【請求項６】
前記弾頭矯正用スライド手段が、前記薬莢の中心軸に略垂直な方向にスライドするスライド部材と、該スライド部材に螺合された回転操作部材と、前記スライド部材及び前記回転操作部材を支持する支持部材とからなる請求項１記載の弾頭矯正装置。
【請求項７】
前記薬莢のネック部に外接させて該ネック部の締付け具合を矯正するための薬莢矯正ローラと、該薬莢矯正ローラを前記薬莢の中心軸に略垂直な方向にスライドさせるための薬莢矯正用スライド手段とが備えられてなる請求項１記載の弾頭矯正装置。
【請求項８】
前記弾頭の軸ぶれを測定するための軸ぶれ測定手段が備えられてなる請求項１記載の弾頭矯正装置。
【発明の詳細な説明】
【技術分野】
【０００１】
本発明は、薬莢に挿嵌された弾頭の軸ぶれを矯正するための弾頭矯正装置に関する。
【背景技術】
【０００２】
銃猟家や射撃競技者の中には、工場で弾込めされた弾では満足できず、自分で弾込めを行う者も数多くいる。この弾込めは、「リローディング」や「ハンドローディング」と呼ばれており、弾の性能を向上させたい場合や、薬莢や弾頭を再利用して弾の購入費用を節約したい場合等に行われている。しかし、リローディングには高い精度が要求されるために、工場で弾込めされた弾よりも性能に優れた弾をリローディングで得るのは必ずしも容易なことではなかった。特に、弾頭の軸ぶれは弾の性能に大きく影響するために、弾頭の中心軸は薬莢の中心軸と高い精度で一致させておく必要がある。しかし、従来は、特許文献１に記載されたリロードプレス用配置ダイや、特許文献２に記載された薬莢用検査調整装置等のリローディング機材が提案されるに留まり、弾頭の中心軸と薬莢の中心軸とを満足できる精度で一致させることができるものについては見当たらないのが実情であった。
【０００３】
【特許文献１】米国特許第4,862,567号明細書（claim.1、第4欄26〜55行、FIG.1〜3）
【特許文献２】スイス特許第688388号明細書（Abstract、FIG.1）
【発明の開示】
【発明が解決しようとする課題】
【０００４】
すなわち、特許文献１の配置ダイ（10）は、内側案内部材（46）によって弾頭（45）を位置決めするものとなっているが、内側案内部材（46）は、弾頭（45）を薬莢（18）に挿嵌することを主な目的とするものであり、弾頭（45）の中心軸の向きを高い精度で設定できるものではなかった（括弧内の符号は特許文献１中の符号を指す。）。また、弾頭（45）の向きの矯正は、薬莢（18）のネック部（20）が固く締め付けられた状態で行わないと、あまり意味を成さないが、特許文献１の配置ダイ（10）では、弾頭（45）が挿嵌できる程度に開いた状態のネック部（20）に対して弾頭（45）の位置決めを行うようになっている。このため、仮に、特許文献１の配置ダイ（10）で弾頭（45）が薬莢（18）に真直ぐ挿嵌されたとしても、その後、弾頭（45）に軸ぶれが生ずるおそれがある。さらに、特許文献１の配置ダイ（10）では、既に薬莢（18）に挿嵌されている弾頭（45）の軸ぶれを矯正することができない。
【０００５】
これに対し、特許文献２の薬莢用検査調整装置は、部材（24）を移動させることによって薬莢（6）の向きを矯正するものとなっているが、部材（17）が弾頭（33）だけでなく薬莢（6）までも覆うようになっているために、部材（24）を移動させた際に、薬莢（6）だけでなく弾頭（33）までもが動いてしまうおそれがあるものであった（括弧内の数字は特許文献２中の符号を指す。）。また、特許文献２の薬莢用検査調整装置では、部材（24）によって薬莢（6）に傷が付くおそれもあった。さらに、特許文献２の薬莢用検査調整装置では、薬莢（6）の軸ぶれをダイヤルゲージ（20）によって測定しただけでは、弾頭（33）の中心軸と薬莢（6）の中心軸とが本当に一致しているのかが判断できないために、それを判断するためには、別途、ダイヤルゲージ（10）で弾頭（33）の軸ぶれを測定しなければならず、操作性に難があった。
【０００６】
本発明は、上記課題を解決するためになされたものであり、弾頭の中心軸を薬莢の中心軸に高い精度で一致させることのできる弾頭矯正装置を提供するものである。また、矯正後の弾頭に再び軸ぶれが生じるのを防止することができる弾頭矯正装置を提供するものである。さらに、既に薬莢に挿嵌されている弾頭の軸ぶれを矯正することのできる弾頭矯正装置を提供するものである。さらにまた、弾頭の向きを矯正している最中に弾頭に傷が付くのを防止することのできる弾頭矯正装置を提供するものである。その上、操作性に優れ、弾頭の向きの矯正やその検査を容易に行うことのできる弾頭矯正装置を提供するものである。
【課題を解決するための手段】
【０００７】
上記課題は、薬莢に込められた弾頭の軸ぶれを矯正するのに用いられる弾頭矯正装置において、薬莢を保持するための薬莢保持具と、薬莢及び薬莢保持具を薬莢の中心軸回りに回転させるための薬莢回転手段と、薬莢に連動して回転している弾頭に外接させて該弾頭の軸ぶれを矯正するための弾頭矯正ローラと、該弾頭矯正ローラを薬莢の中心軸に略垂直な方向にスライドさせるための弾頭矯正用スライド手段とが備えられてなる弾頭矯正装置を提供することによって解決される。これにより、弾頭の中心軸を薬莢の中心軸に高い精度で一致させるだけでなく、弾頭の外周面に傷が付くのを防止することが可能になる。また、弾頭の軸ぶれの度合を、弾頭矯正ローラの回転状態（回転速度の変化）によって判別できるために、弾頭の軸ぶれを容易に矯正することができるようになる。
【０００８】
薬莢保持具は、薬莢をしっかりと固定できるものであれば特に限定されないが、内周面をテーパ状に形成された筒状の薬莢把持部材を備えたものであると好ましい。これにより、薬莢をより確実に固定することが可能になり、弾頭の軸ぶれの矯正をより高い精度で行うことが可能になる。薬莢保持具が、薬莢を薬莢把持部材の内部に押し込むための薬莢押し込み部材を備えたものであるとより好適である。
【０００９】
薬莢回転手段は、つまみやハンドル等の手動で操作するものであってもよいが、モータを利用したものであると好ましい。これにより、使用者の肉体的な負担を軽減したり、弾頭の矯正をより迅速に行ったりするだけでなく、弾の回転速度を一定に保つことも可能になり、弾頭矯正ローラの回転状態によって弾頭の軸ぶれの度合をより正確に把握することも可能になる。
【００１０】
弾頭矯正ローラに、該弾頭矯正ローラの回転状態を判別するためのマーキングが施されていることも好ましい。これにより、弾頭矯正ローラの回転状態を容易に判別することが可能になる。前記マーキングは、弾頭矯正ローラの回転部に目視できる程度に施されたものであれば特に限定されず、文字や記号等であってもよいが、通常、線や点等の単純な図形である。また、前記マーキングを設ける手段も特に限定されるものではなく、塗料やインクを前記弾頭矯正ローラに塗布することによって設けてもよいし、目印を刻設したり貼着したりすることによって設けてもよい。
【００１１】
弾頭矯正用スライド手段は、弾頭矯正ローラを薬莢の中心軸に略垂直な方向にスライドさせることができるものであれば特に限定されないが、薬莢の中心軸に略垂直な方向にスライドするスライド部材と、該スライド部材に螺合された回転操作部材と、前記スライド部材及び前記回転操作部材を支持する支持部材とからなるものであるとより好ましい。これにより、弾頭矯正ローラの微妙な位置調節が容易になるだけでなく、弾頭矯正ローラを前記弾頭に強い力で押し付けることも可能になる。
【００１２】
弾頭矯正装置に、薬莢のネック部に外接させて該ネック部の締付け具合を矯正するための薬莢矯正ローラと、該薬莢矯正ローラを薬莢の中心軸に略垂直な方向にスライドさせるための薬莢矯正用スライド手段とが備えられてなることも好ましい。これにより、弾頭の軸ぶれだけでなく、薬莢のネック部の締付け具合も矯正することが可能になり、より性能に優れた弾を得ることができる。薬莢矯正ローラについては、前記弾頭矯正ローラと同様の構成を採用することができ、薬莢矯正用スライド手段については、前記弾頭矯正用スライド手段と同様の構成を採用することができる。
【００１３】
弾頭矯正装置に、弾頭の軸ぶれを測定するための軸ぶれ測定手段が備えられてなることも好ましい。これにより、弾頭の軸ぶれを測定して再調整することも可能になり、弾頭の軸ぶれを、より確実に矯正することができるようになる。
【発明の効果】
【００１４】
以上のように、本発明の弾頭矯正装置によって、弾頭の中心軸を薬莢の中心軸に高い精度で一致させることが可能になる。また、矯正後の弾頭に再び軸ぶれが生じるのを防止することや、既に薬莢に挿嵌されている弾頭の軸ぶれを矯正することも可能になる。さらに、弾頭の向きを矯正している最中に弾頭に傷が付くのを防止することも可能になる。さらにまた、弾頭矯正装置を、操作性に優れ、弾頭の向きの矯正やその検査を容易に行うことのできるものとすることも可能になる。従って、命中精度が高く飛距離が長い弾を容易にリローディングすることが可能になる。
【発明を実施するための最良の形態】
【００１５】
本発明の弾頭矯正装置の好適な実施態様を、図面を用いてより具体的に説明する。図１は、弾頭矯正装置の全体を表した斜視図である。図２は、弾頭矯正装置の全体を表した平面図である。図３は、弾頭矯正装置の全体を表した右側面図である。図４は、薬莢保持具周辺を図２におけるＡ−Ａ面で切断した状態を示した断面図である。図５は、弾頭矯正ローラ及び弾頭矯正用スライド手段を弾頭矯正ローラの中心軸を含む水平面で切断した状態を示した断面図である。図６は、弾頭矯正ローラ及び薬莢矯正ローラが弾頭及び薬莢を矯正している状態を示した平面図である。図７は、弾頭矯正ローラ及び薬莢矯正ローラが弾頭及び薬莢を矯正している状態を示した正面図である。図８は、弾取り出し具を用いて弾を薬莢把持部材の内部から取り出す状態を示した右側面図である。
【００１６】
［弾頭矯正装置の概要］  まず、弾頭矯正装置の構造について説明する。本実施態様の弾頭矯正装置は、図１〜図３に示すように、基台100に、薬莢保持具200と、薬莢回転手段300と、弾頭矯正ローラ400と、弾頭矯正用スライド手段500と、薬莢矯正ローラ600と、薬莢矯正用スライド手段700と、軸ぶれ測定手段800とを配設したものとなっている。薬莢保持具200は、基台100に設けられた支持ブロック130に回転可能に支持されており、弾頭矯正用スライド手段500と薬莢矯正用スライド手段700は、基台100にスライド可能に取り付けられたスライド盤140に固定されている。
【００１７】
［基台（天板）］  基台100は、図１〜図３に示すように、天板110と、天板110の裏面側の四隅部に取り付けられた4本の脚部120と、天板110の上面側に固定された支持ブロック130と、天板110の上面側にスライド可能に取り付けられたスライド盤140とからなっている。天板110には、スライド盤固定具150を案内するためのガイド孔111（図２）と、ベルト330（図２、図３）を通すためのベルト孔112と、脚部120を螺合するための螺子孔113とが設けられている。
【００１８】
［基台（脚部）］  脚部120は、図１に示すように、円盤状の接地部121と、接地部121の上面側の中央部に垂設された軸部122とからなっている。軸部122は、その外周面に螺子溝が設けられており、天板110に設けられた螺子孔113に螺合されて固定されている。このため、弾頭矯正装置は、軸部122をその中心軸回りに回転させることによって脚部120の高さを調節することができるようになっており、傾斜面や不陸面に設置する場合であっても天板110を水平に保つことができるようになっている。
【００１９】
［基台（支持ブロック）］  支持ブロック130は、図４に示すように、薬莢保持具200の薬莢把持部材210を回転可能に支持するものとなっている。支持ブロック130は、ボルト等の固定手段（図示省略）によって天板110の上面に固定されている。支持ブロック130の中央部には、貫通孔が設けられており、該貫通孔の内部には、薬莢把持部材210を滑らかに回転させるための軸受131が嵌め込まれて固定されている。軸受131には、ころがり軸受やすべり軸受等の各種の軸受を用いることができる。
【００２０】
［基台（スライド盤）］  スライド盤140は、図２に示すように、矢印aの方向（薬莢の中心軸に略平行な方向）にスライドすることができるものとなっている。スライド盤140の左右両端部には、図１に示すように、スライド盤140が天板110から脱落するのを防止するための鉤部141が設けられている。また、スライド盤140には、図１〜図３に示すように、スライド盤140を天板110に固定するためのスライド盤固定具150が取り付けられている。スライド盤固定具150は、図３に示すように、回転つまみ部151と、回転つまみ部151の下面側の中央部に垂設された軸部152と、軸部152に螺合されたナット部153とからなっている。軸部152は、天板110に設けられたガイド孔111（図２）に遊挿されている。このため、スライド盤140は、スライド盤固定具150を緩めると天板110の上面をスライドすることが可能な状態になり、スライド盤固定具150を締めると天板110に固定されるようになっている。
【００２１】
［薬莢保持具（薬莢把持部材）］  薬莢保持具200は、図４に示すように、薬莢910を保持するためのものとなっており、薬莢910の外周面を把持するための薬莢把持部材210と、薬莢910を薬莢把持部材210の内部に押し込むための薬莢押し込み部材220とからなっている。薬莢把持部材210は、筒状になっており、その内周面は、薬莢910の外周面に密着することができるように緩やかなテーパ状に形成されている。薬莢把持部材210は、軸受131から薬莢把持部材210の中心軸方向に抜け落ちることのないように軸受131によって支持されている。
【００２２】
［薬莢保持具（薬莢押し込み部材）］  薬莢押し込み部材220は、図４に示すように、薬莢910の底面を押圧するための押圧ロッド221と、押圧ロッド221をスライド可能に支持する筒状の支持ケース222と、押圧ロッド221を薬莢910の側に付勢するためのスプリング223と、スプリング223を係止する係止キャップ224とからなっている。押圧ロッド221の基端部は、支持ケース222の内部から完全に抜け出ることのないように拡径して形成されている。支持ケース222は、その先端側の外周面を薬莢把持部材210の基端側の内周面に螺合されており、薬莢把持部材210から取り外すことができるようになっている。また、係止キャップ224は、その先端側の外周面を支持ケース222の基端側の内周面に螺合されており、スプリング223の係止位置を変えることができるものとなっている。このため、スプリング223の付勢力は調節することができるようになっている。
【００２３】
［薬莢回転手段（モータ）］  薬莢回転手段300は、図３に示すように、モータ310と、モータ310の回転軸311に同一軸上に固定された駆動側回転部材320と、駆動側回転部材320の外周部に巻き掛けられた環状のベルト330と、外周部にベルト330が巻き掛けられた従動側回転部材340とからなっている。モータ310は、薬莢保持具200を回転させるのに必要なトルクを発生できるものであれば特に限定されるものではないが、本実施態様の弾頭矯正装置においては、オリエンタルモーター社製のインダクションモーター（型式0IK1GN-A）に同社製のギヤヘッド（型式0GN3K）を取り付けたものを採用している。モータ310の取付位置は、薬莢保持具200に回転を伝達できる場所であれば特に限定されず、天板110の上面等であってもよいが、本実施態様の弾頭矯正装置においては、天板110の裏面としており、弾頭矯正装置のコンパクト化を図っている。
【００２４】
［薬莢回転手段（駆動側回転部材、ベルト、駆動側回転部材）］  図３に示す駆動側回転部材320とベルト330と従動側回転部材340は、特に限定されるものではないが、駆動側回転部材320及び従動側回転部材340に、いわゆるＶプーリ（外周面に断面台形状の谷部が形成されたプーリ）を採用し、ベルト330に、いわゆるＶベルト（内周面に断面台形状の山部531（図４）が形成されたベルト）を採用すると好ましい。これにより、駆動側回転部材320の回転を、従動側回転部材340に損失無く伝達することが可能になる。従動側回転部材340は、環状のものとなっており、その内周面を薬莢保持具200の外周面に固定されている。このため、薬莢保持具200は、従動側回転部材340と一体的に回転するようになっている。
【００２５】
［薬莢回転手段（駆動側回転部材と従動側回転部材の半径の比）］  図３に示す駆動側回転部材320の外径（D1）に対する従動側回転部材340の外径（D2）の比（D2/D1）は、モータ310の仕様等に応じて適宜調節され、特に限定されるものではないが、通常、0.5〜10.0に設定される。前記比（D2/D1）が0.5未満であると、従動側回転部材340のトルクが低くなり過ぎるおそれがあり、前記比（D2/D1）が10.0を超えると、従動側回転部材340の回転速度が遅くなり過ぎたり、従動側回転部材340の寸法が大きくなり過ぎたりするおそれがあるためである。前記比（D2/D1）は、1.0以上であるとより好ましく、2.0以上であるとさらに好ましい。一方、前記比（D2/D1）は、7.0以下であるとより好ましく、5.0以下であるとさらに好ましい。本実施態様の弾頭矯正装置において、前記比（D2/D1）は約3.0となっている。
【００２６】
［弾頭矯正ローラ］  弾頭矯正ローラ400は、図６と図７に示すように、薬莢910に連動して回転する弾頭920に外接させるためのものとなっている。弾頭矯正ローラ400の外周面には、弾頭矯正ローラ400の回転状態を判別するためのマーキング402が施されている。弾頭矯正ローラ400は、図５に示すように、スライド部材510に固定された軸棒410の大径部に回転可能に外嵌されている。軸棒410の小径部は、スライド部材510に設けられた貫通孔に挿嵌されており、その先端部にはナット420が螺合されている。軸棒410の大径部とナット420は、スライド部材510を両側から挟持した状態となっている。この弾頭矯正ローラ400によって、弾頭920の最大回転半径を拘束し、弾頭920の軸ぶれを矯正することが可能になる。弾頭矯正ローラ400は、薬莢910と平行に配してもよいが、図６に示すように、弾頭矯正ローラ400の中心軸401が薬莢910の中心軸911に対して僅かに傾くように配するとより好適である。これにより、弾頭矯正ローラ400を弾頭920により滑らかに外接させることが可能になる。弾頭矯正ローラ400の中心軸401と薬莢910の中心軸911は、通常、同一平面上に配される。弾頭矯正ローラ400の素材は、特に限定されず、樹脂等であってもよいが、本実施態様の弾頭矯正装置においては、金属を採用している。
【００２７】
［弾頭矯正用スライド手段（支持部材）］  弾頭矯正用スライド手段500は、図５に示すように、弾頭矯正ローラ400を矢印bの方向（薬莢の中心軸に略垂直な方向）にスライドさせることができるものとなっている。弾頭矯正用スライド手段500は、矢印bの方向にスライド可能なスライド部材510と、スライド部材510に螺合された回転操作部材520と、スライド部材510及び回転操作部材520を支持する支持部材530とからなっている。支持部材530は、スライド部材510を案内するための案内溝が設けられた案内部531と、回転操作部材520を係止するためのスリットが設けられた係止部532とからなっている。支持部材530の底部は、基台100のスライド盤140の上面に固定されている。
【００２８】
［弾頭矯正用スライド手段（スライド部材）］  スライド部材510は、図５に示すように、その先端部に弾頭矯正用ローラ400が軸支されており、その基端部は案内部531に設けられた案内溝に挿入されている。スライド部材510の基端部には、スライド部材510の長手方向に沿って螺子孔511が設けられている。スライド部材510は、その長手方向に垂直な断面が矩形になっている。このため、スライド部材510は、その角部が案内部531に設けられた案内溝の角部に係止されて、支持部材530に対して回転しないようになっている。
【００２９】
［弾頭矯正用スライド手段（回転操作部材）］  回転操作部材520は、図５に示すように、その先端部が案内部531に設けられた案内溝に挿入されて螺子孔511に螺合されており、その基端部にはハンドル521が設けられている。回転操作部材520の中央部には、その直径が係止部532に設けられたスリットの幅に略一致するくびれ522が設けられている。回転操作部材520は、くびれ522の所で係止部532のスリットに嵌め込まれている。このため、回転操作部材520を回転させても、回転操作部材520は矢印bの方向には動かず、スライド部材510の方が矢印bの方向に動くようになっている。
【００３０】
［薬莢矯正ローラ］  薬莢矯正ローラ600は、図６と図７に示すように、薬莢910のネック部に外接させて該ネック部の締付け具合を矯正するためのものとなっている。本実施態様の弾頭矯正装置において、薬莢矯正ローラ600は、その中心軸601が薬莢910の中心軸911と平行に配されていること以外は、既述の弾頭矯正ローラ400と同様の構成を採用しているために、詳細については説明を割愛する。
【００３１】
［薬莢矯正用スライド手段］  図１〜図３に示す薬莢矯正用スライド手段700は、薬莢矯正ローラ600を薬莢の中心軸に略垂直な方向にスライドさせることができるものとなっている。本実施態様の弾頭矯正装置において、薬莢矯正用スライド手段700は、既述の弾頭矯正用スライド手段500と同様の構成を採用しているために、詳細についてはその説明を割愛する。
【００３２】
［軸ぶれ測定手段］  図１〜図３に示す軸ぶれ測定手段800は、弾頭920の軸ぶれを測定できるものであれば特に限定されないが、本実施態様の弾頭矯正装置においては、株式会社ミツトヨ社製のダイヤルゲージ（型式1109F）を採用している。このダイヤルゲージは、測定棒810の変位を指針820で読み取るものとなっており、その目量は1［μm］である。また、このダイヤルゲージは、指針820の反応が素早く、弾頭920がある程度高速で回転している場合であっても、十分に追従して反応できるものとなっている。
【００３３】
［弾頭矯正装置の使用方法（セッティング）］  次に、弾頭矯正装置の使用方法について説明する。まず、薬莢把持部材210（図４）から薬莢押し込み部材220を取り外して、薬莢把持部材210の内部に弾900を挿入し、薬莢押し込み部材220を再び把持部材310に取り付ける。このとき、弾900は、弾頭920と薬莢910のネック部とが薬莢把持部材210の先端側から外方に突き出た状態となっている。また、薬莢910は、薬莢押し込み部材220で押し込まれることによって、その外周面が薬莢把持部材210の内周面に密着した状態となっている。このため、薬莢910は、人力程度では薬莢把持部材210に対して回転させることができないようになっている。続いて、スライド盤固定具150（図１〜図３）を緩めてスライド盤140をスライドさせ、弾頭矯正ローラ400のスライド方向の延長線上に弾頭920（図６）がきて、薬莢矯正ローラ600のスライド方向の延長線上に薬莢910のネック部がくる位置まで移動させる。この後、スライド盤固定具150を締めてスライド盤140を固定し、モータ310（図３）の電源を入れて薬莢保持具200を回転させる。
【００３４】
［弾頭矯正装置の使用方法（弾頭の軸ぶれの矯正）］  薬莢保持具200の回転が始まると、回転操作部材520（図５）のハンドル521を操作して、弾頭矯正ローラ400を弾頭920（図６）に少しずつ近づけていき、弾頭矯正ローラ400の外周面を弾頭920の外周面に僅かに接触させる。このとき、弾頭920が軸ぶれしていない場合には、弾頭矯正ローラ400は略一定の回転速度で回転する。しかし、弾頭920が軸ぶれしている場合には、弾頭920の回転半径が一定とならず、弾頭矯正ローラ400と弾頭920とが接触状態と非接触状態とを周期的に繰り返すようになるために、弾頭矯正ローラ400の回転速度が周期的に変化する。弾頭矯正ローラ400の回転状態は、弾頭矯正ローラ400に施されたマーキング402によって容易に判別できる。弾頭矯正ローラ400の回転速度が周期的に変化している場合には、その回転速度が一定になるまで弾頭矯正ローラ400を弾頭920の側にさらに移動させ、弾頭の軸ぶれの矯正を行う。薬莢矯正ローラ600についても、弾頭矯正ローラ400と同様の操作を行い、薬莢910のネック部の締付け具合を矯正する。薬莢910のネック部の締付け具合の矯正は、弾頭920の軸ぶれの矯正と並行して行うとよい。
【００３５】
［弾頭矯正装置の使用方法（軸ぶれの測定）］  弾頭920の軸ぶれの矯正が終わると、軸ぶれ測定手段800（図１〜図３）を弾頭920（図６）の真上まで移動させ、測定棒810の先端を弾頭920の外周面に接触させる。このとき、弾頭920が軸ぶれしている場合には、軸ぶれ測定手段800の指針820が振れる。指針820が許容範囲を超えて大きく振れる場合には、弾頭矯正ローラ400と薬莢矯正ローラ600とで弾900の矯正を再び行い、指針820の振れが許容範囲に収まるまでこれを繰り返す。指針820の振れが許容範囲に収まると、モータ310の電源を切って、薬莢保持具200の回転を止める。
【００３６】
［弾頭矯正装置の使用方法（弾の取り出し）］  薬莢保持具200の回転が止まると、薬莢把持部材210（図４）から薬莢押し込み部材220を取り外し、薬莢把持部材210の内部から弾900を取り出す。薬莢910が薬莢把持部材210に噛み込んで、弾900が取り出しにくくなっている場合には、図８に示すように、弾取り出し具1000を用いると好ましい。弾取り出し具1000は、パイプ状になっており、その押圧側端部1010の内周面は、薬莢910のテーパ部912に密着することができるように、テーパ状に形成されている。弾取り出し具1000の内径は、薬莢910のネック部の外径よりも僅かに大きく形成されており、弾取り出し具1000の内周面が弾頭920に接触しないようになっている。弾取り出し具1000の素材は、特に限定されないが、通常、アルミニウム等の金属である。この弾取り出し具1000を矢印ｃの向きに移動させて、弾頭920と薬莢910のネック部とを弾取り出し具1000の内部に挿入し、押圧側端部1010をテーパ部912に宛がって薬莢910を押圧すると、弾900を容易に取り出すことができる。このとき得られる弾900は、弾頭920の中心軸921が薬莢910の中心軸911に高い精度で一致しており、また薬莢910のネック部の締付け具合も全周部に亘って高い精度で均一なものとなっている。このため、弾900は、矯正前の状態と比較して、命中精度が高く、その飛距離も長いものとなっている。
【図面の簡単な説明】
【００３７】
【図１】弾頭矯正装置の全体を表した斜視図である。
【図２】弾頭矯正装置の全体を表した平面図である。
【図３】弾頭矯正装置の全体を表した右側面図である。
【図４】薬莢保持部材周辺を図２におけるＡ−Ａ面で切断した状態を示した断面図である。
【図５】弾頭矯正ローラ及び弾頭矯正用スライド手段を弾頭矯正ローラの中心軸を含む水平面で切断した状態を示した断面図である。
【図６】弾頭矯正ローラ及び薬莢矯正ローラが弾頭及び薬莢を矯正している状態を示した平面図である。
【図７】弾頭矯正ローラ及び薬莢矯正ローラが弾頭及び薬莢を矯正している状態を示した正面図である。
【図８】弾取り出し具を用いて弾を薬莢把持部材の内部から取り出す状態を示した右側面図である。
【符号の説明】
【００３８】
100  基台
110  天板
111  ガイド孔
112  ベルト孔
113  螺子孔
120  脚部
121  接地部
122  軸部
130  支持ブロック
131  軸受
140  スライド盤
141  鉤部
150  スライド盤固定具
151  回転つまみ部
152  軸部
153  ナット部
200  薬莢保持具
210  薬莢把持部材
220  薬莢押し込み部材
221  押圧ロッド
222  支持ケース
223  スプリング
224  係止キャップ
300  薬莢回転手段
310  モータ
311  回転軸
320  駆動側回転部材
330  ベルト
331  山部
340  従動側回転部材
400  弾頭矯正ローラ
401  中心軸
402  マーキング
410  軸棒
420  ナット
500  弾頭矯正用スライド手段
510  スライド部材
511  螺子孔
520  回転操作部材
521  ハンドル
522  くびれ
530  支持部材
531  案内部
532  係止部
600  薬莢矯正ローラ
601  中心軸
602  マーキング
700  薬莢矯正用スライド手段
800  軸ぶれ測定手段
810  測定棒
820  指針
900  弾
910  薬莢
911  中心軸
912  テーパ部
920  弾頭
1000  弾取り出し具
1010  押圧側端部
【図１】
2006078071.tif 000003
【図２】
2006078071.tif 000004
【図３】
2006078071.tif 000005
【図４】
2006078071.tif 000006
【図５】
2006078071.tif 000007
【図６】
2006078071.tif 000008
【図７】
2006078071.tif 000009
【図８】
2006078071.tif 000010